(57)【要約】【課題】柔軟に配信エリアの単位を指定する。【解決手段】本発明に係るメッセージ配信方法は、メッセージ配信局ＣＢＣが、速報送信局ＣＢＥから受信した配信対象エリア情報を含むメッセージ配信要求に基づいて配信エリア情報及び配信種別を決定して無線基地局ｅＮＢに通知する工程Ａと、無線基地局ｅＮＢが、配信エリア情報及び配信種別に基づいて配信エリアを決定して配信エリア内の移動局に対して所定メッセージを配信する工程Ｂとを有する。【選択図】図５
2010045747.tif 000002
【特許請求の範囲】
【請求項１】
配信エリア内の移動局に対して所定メッセージを配信するメッセージ配信方法であって、
メッセージ配信局が、速報送信局から受信した配信対象エリア情報を含むメッセージ配信要求に基づいて、配信エリア情報及び配信種別を決定して、無線基地局に通知する工程Ａと、
前記無線基地局が、前記配信エリア情報及び前記配信種別に基づいて前記配信エリアを決定して、該配信エリア内の移動局に対して前記所定メッセージを配信する工程Ｂとを有することを特徴とするメッセージ配信方法。
【請求項２】
前記工程Ａは、
前記メッセージ配信局が、前記メッセージ配信要求に基づいて、トラッキングエリアと前記配信エリア情報と前記配信種別とを決定して、前記配信対象エリアに対応する移動制御装置に通知する工程と、
前記移動制御装置が、前記トラッキングエリアに属する前記無線基地局に対して、前記配信エリア情報及び前記配信種別を通知する工程とを有することを特徴とする請求項１に記載のメッセージ配信方法。
【請求項３】
前記無線基地局は、配信種別毎に、配信エリア情報と配信エリアとを関連付けて記憶するテーブルを管理しており、
前記工程Ｂにおいて、前記無線基地局は、前記配信種別に対応するテーブルを参照して、前記配信エリア情報に関連付けられている配信エリア内の移動局に対して前記所定メッセージを配信することを特徴とする請求項１又は２に記載のメッセージ配信方法。
【請求項４】
配信エリア内の移動局に対して所定メッセージを配信するように構成されている無線基地局であって、
配信種別毎に、配信エリア情報と配信エリアとを関連付けて記憶するテーブルを管理しており、
メッセージ配信局から通知された配信種別に対応するテーブルを参照して、該メッセージ配信局から通知された前記配信エリア情報に関連付けられている配信エリア内の移動局に対して前記所定メッセージを配信するように構成されていることを特徴とする無線基地局。
【請求項５】
配信エリア内の移動局に対して所定メッセージを配信するように構成されているメッセージ配信局であって、
速報送信局から受信した配信対象エリア情報を含むメッセージ配信要求に基づいて、配信エリア情報及び配信種別を決定するように構成されており、
決定した前記配信エリア情報に対応する交換局に対して、該配信エリア情報及び前記配信種別を含むメッセージ配信要求を送信するように構成されていることを特徴とするメッセージ配信局。
【発明の詳細な説明】
【技術分野】
【０００１】
本発明は、配信エリア内の移動局に対して所定メッセージを配信するメッセージ配信方法、無線基地局及びメッセージ配信局に関する。
【背景技術】
【０００２】
３ＧＰＰにおいて、緊急メッセージをパケット交換ネットワーク上の特定の配信エリアに配信する仕組み（以下、緊急配信システムと称する）が規定されている（非特許文献１参照）。
【０００３】
図６を参照して、かかる緊急メッセージ配信システムの動作について説明する。
【０００４】
図６に示すように、ステップＳ２００１において、速報送信局ＣＢＥは、メッセージ配信局ＣＢＣに対して、緊急メッセージを配信するように要求するためのメッセージ配信要求を送信する。
【０００５】
ステップＳ２００２において、メッセージ配信局ＣＢＣは、メッセージ配信要求に含まれる配信対象エリア情報に基づいて、１つ又は複数のトラッキングエリア（ＴＡ：Ｔｒａｃｋｉｎｇ  Ａｒｅａ）及び配信エリア情報（Ｅｍｅｒｇｅｎｃｙ  Ａｒｅａ  ＩＤ）を決定する。
【０００６】
ステップＳ２００３において、メッセージ配信局ＣＢＣは、かかるトラッキングエリアに対応する移動制御装置ＭＭＥに対して、上述のトラッキングエリア及び配信エリア情報を含むメッセージ配信要求を送信する。
【０００７】
ステップＳ２００４において、移動制御装置ＭＭＥは、受信したメッセージ配信要求に含まれるトラッキングエリアに属する無線基地局ｅＮＢを特定する。
【０００８】
ステップＳ２００５において、移動制御装置ＭＭＥは、特定した無線基地局ｅＮＢに対して、配信エリア情報を含むメッセージ配信要求を送信する。
【０００９】
ステップＳ２００６において、無線基地局ｅＮＢは、受信したメッセージ配信要求に含まれる配信エリア情報に基づいて、自身が、かかる緊急メッセージの配信エリアに含まれるか否かについて判断する。
【００１０】
かかる緊急メッセージの配信エリアに含まれると判断された場合、無線基地局ｅＮＢは、ステップＳ２００７において、かかる緊急メッセージを、当該配信エリア情報に対応する配信エリア内の移動局に対して配信し、ステップＳ２００８において、移動制御装置ＭＭＥに対して、その旨を示す緊急メッセージ送信確認を送信する。
【００１１】
ステップＳ２００９において、移動制御装置ＭＭＥは、無線基地局ｅＮＢから受信した緊急メッセージ送信確認を、メッセージ配信局ＣＢＣに転送する。
【非特許文献１】「Ｇｅｎｅｒａｌ  Ｐａｃｋｅｔ  Ｒａｄｉｏ  Ｓｅｒｖｉｃｅ（ＧＲＰＳ）  ｅｎｈａｎｃｅｍｅｎｔｓ  ｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）  ａｃｃｅｓｓ」、３ＧＰＰ  ＴＳ２３.４０１  Ｖ８.２.０＋１、２００８年７月
【発明の開示】
【発明が解決しようとする課題】
【００１２】
しかしながら、従来のメッセージ配信システムでは、セクタ単位で配信エリアを指定する配信エリア情報と、広域地域単位（例えば、東京都等）で配信エリアを指定する配信エリア情報とを混在させることができない。
【００１３】
したがって、従来のメッセージ配信システムにおいて、配信エリア情報がセクタ単位で配信エリアを指定する場合で、かつ、配信エリアが広域に渡る場合、無線基地局ｅＮＢは、多数の配信エリア情報に対して処理を施す必要があり、無線基地局ｅＮＢにおける処理負荷増大及び緊急メッセージの配信遅延が生じる恐れがあるという問題点があった。
【００１４】
そこで、本発明は、上述の課題に鑑みてなされたものであり、柔軟に配信エリアの単位を指定することができるメッセージ配信方法、無線基地局及びメッセージ配信局を提供することを目的とする。
【課題を解決するための手段】
【００１５】
本発明の第１の特徴は、配信エリア内の移動局に対して所定メッセージを配信するメッセージ配信方法であって、メッセージ配信局が、速報送信局から受信した配信対象エリア情報を含むメッセージ配信要求に基づいて、配信エリア情報及び配信種別を決定して、無線基地局に通知する工程Ａと、前記無線基地局が、前記配信エリア情報及び前記配信種別に基づいて前記配信エリアを決定して、該配信エリア内の移動局に対して前記所定メッセージを配信する工程Ｂとを有することを要旨とする。
【００１６】
本発明の第１の特徴において、前記工程Ａは、前記メッセージ配信局が、前記メッセージ配信要求に基づいて、トラッキングエリアと前記配信エリア情報と前記配信種別とを決定して、前記配信対象エリアに対応する移動制御装置に通知する工程と、前記移動制御装置が、前記トラッキングエリアに属する前記無線基地局に対して、前記配信エリア情報及び前記配信種別を通知する工程とを有してもよい。
【００１７】
本発明の第１の特徴において、前記無線基地局は、配信種別毎に、配信エリア情報と配信エリアとを関連付けて記憶するテーブルを管理しており、前記工程Ｂにおいて、前記無線基地局は、前記配信種別に対応するテーブルを参照して、前記配信エリア情報に関連付けられている配信エリア内の移動局に対して前記所定メッセージを配信してもよい。
【００１８】
本発明の第２の特徴は、配信エリア内の移動局に対して所定メッセージを配信するように構成されている無線基地局であって、配信種別毎に、配信エリア情報と配信エリアとを関連付けて記憶するテーブルを管理しており、メッセージ配信局から通知された配信種別に対応するテーブルを参照して、該メッセージ配信局から通知された前記配信エリア情報に関連付けられている配信エリア内の移動局に対して前記所定メッセージを配信するように構成されていることを要旨とする。
【００１９】
本発明の第３の特徴は、配信エリア内の移動局に対して所定メッセージを配信するように構成されているメッセージ配信局であって、速報送信局から受信した配信対象エリア情報を含むメッセージ配信要求に基づいて、配信エリア情報及び配信種別を決定するように構成されており、決定した前記配信エリア情報に対応する交換局に対して、該配信エリア情報及び前記配信種別を含むメッセージ配信要求を送信するように構成されていることを要旨とする。
【発明の効果】
【００２０】
以上説明したように、本発明によれば、柔軟に配信エリアの単位を指定することができるメッセージ配信方法、無線基地局及びメッセージ配信局を提供することができる。
【発明を実施するための最良の形態】
【００２１】
（本発明の第１の実施形態に係るメッセージ配信システムの構成）
図１乃至図４を参照して、本発明の第１の実施形態に係るメッセージ配信システムの構成について説明する。
【００２２】
図１に示すように、本実施形態に係るメッセージ配信システムは、速報送信局ＣＢＥと、メッセージ配信局ＣＢＣと、移動制御装置ＭＭＥと、無線基地局ｅＮＢと、移動局ＵＥとを具備している。
【００２３】
図２に示すように、無線基地局ｅＮＢは、信号処理部１１と、パケット送受信ＩＦ部１２と、ルーティング制御部１３と、配信種別判定部１４と、データベース１５と、緊急メッセージ生成部１６と、無線制御部１７と、無線送受信ＩＦ部１８とを具備している。
【００２４】
データベース１５は、配信種別毎に、配信エリア情報と配信エリアとを関連付けて記憶するテーブルを管理している。
【００２５】
図３に、かかるテーブルの一例を示す。図３に示すテーブルは、「配信種別」と「優先制御」と「配信エリア情報」と「配信エリア」と関連付けるように構成されている。
【００２６】
データベース１５は、信号処理部１１から配信種別及び配信エリア情報を受信した場合に、かかる配信種別及び配信エリア情報に関連付けられている「優先制御」及び「配信エリア」を回答するように構成されている。ここで、「優先制御」は、メッセージ配信要求を優先的に処理すべきか否かについて示すものである。
【００２７】
図３の例では、配信種別「Ａ」を含むメッセージ配信要求に含まれる「配信エリア情報」は、広域地域単位で「配信エリア」指定し、配信種別「Ｂ」を含むメッセージ配信要求に含まれる「配信エリア情報」は、セクタ単位で「配信エリア」指定するように構成されている。
【００２８】
また、図３の例では、配信種別「Ａ」を含むメッセージ配信要求は、優先的に処理され、配信種別「Ｂ」を含むメッセージ配信要求は、優先的に処理されないように構成されている。
【００２９】
信号処理部１１は、移動制御装置ＭＭＥによって送信されたメッセージ配信要求を、パケット送受信ＩＦ部１２とルーティング制御部１３とを介して受信するように構成されている。
【００３０】
信号処理部１１は、メッセージ配信要求の内容を分析して配信種別を検出するように構成されている。ここで、信号処理部１１は、配信種別判定部１４へ問い合わせを行うことによって配信種別を検出するように構成されている。なお、配信種別判定部１４は、信号処理部１１に含まれていてもよい。
【００３１】
また、信号処理部１１は、データベース１５内で、検出した配信種別に合致するテーブルを参照して、受信したメッセージ配信要求に含まれる配信エリア情報に対応する配信エリアを検索する。
【００３２】
特定の配信エリアが検出された場合、信号処理部１１は、検出した配信エリアについての情報と共にメッセージ配信要求を、緊急メッセージ生成部１６に伝達する。
【００３３】
緊急メッセージ生成部１６は、メッセージ配信要求に含まれる緊急メッセージを、移動局ＵＥ向けの緊急メッセージに変換し、無線制御部１７及び無線送受信ＩＦ部１８を介して、上述の配信エリア内の移動局に送信する。なお、緊急メッセージ生成部１６は、信号処理部１１に含まれていてもよい。
【００３４】
なお、信号処理部１１は、データベース１５からの回答に応じて、特定のメッセージ配信要求について優先的に処理すべきであると判定した場合、無線基地局ｅＮＢ内の他の機能ブロック（例えば、緊急メッセージ処理部１６や無線制御部１７や無線送受信ＩＦ部１８等）に対して、その旨を指示するように構成されている。
【００３５】
以上のように、無線基地局ｅＮＢは、移動制御装置ＭＭＥを介してメッセージ配信局ＣＢＣから通知された配信種別に対応するテーブルを参照して、移動制御装置ＭＭＥを介してメッセージ配信局ＣＢＣから通知された配信エリア情報に関連付けられている配信エリア内の移動局ＵＥに対して、緊急メッセージ（所定メッセージ）を配信するように構成されている。
【００３６】
図４に示すように、メッセージ配信局ＣＢＣは、信号処理部２１と、パケット送受信ＩＦ部２２と、ルーティング制御部２３と、配信種別判定部２４と、データベース２５と、緊急メッセージ生成部２６とを具備している。
【００３７】
信号処理部２１は、速報送信局ＣＢＥによって送信されたメッセージ配信要求を、パケット送受信ＩＦ部２２とルーティング制御部２３とを介して受信するように構成されている。
【００３８】
信号処理部２１は、メッセージ配信要求の内容を分析し、緊急メッセージ生成部２６に対して、緊急メッセージの生成に関わる情報（緊急メッセージ種別や配信元速報送信局情報や配信対象エリア情報等）を通知するように構成されている。
【００３９】
緊急メッセージ生成部２６は、信号処理部２１から受信した情報に基づいて、データベース２５を参照し、トラッキングエリア及び配信エリア情報を導出するように構成されている。
【００４０】
配信種別判定部２４は、信号処理部２１から緊急メッセージ生成部２６へ伝達する情報（緊急メッセージ種別や配信元速報送信局情報や配信対象エリア情報等）、或いは、緊急メッセージ生成部２６に対して通知するデータベースから検索した情報（トラッキングエリアや配信エリア情報等）のいずれかの情報を信号処理部２１から受信することで、配信種別を判定してもよい。
【００４１】
なお、配信種別判定部２４は、緊急メッセージ生成部２６或いは信号処理部２１に含まれていてもよい。また、緊急メッセージ生成部２６は、信号処理部２１に含まれていてもよい。
【００４２】
（本発明の第１の実施形態に係るメッセージ配信システムの動作）
図５を参照して、本発明の第１の実施形態に係るメッセージ配信システムの動作について説明する。
【００４３】
図５に示すように、ステップＳ１００１において、速報送信局ＣＢＥは、メッセージ配信局ＣＢＣに対して、緊急メッセージを配信するように要求するためのメッセージ配信要求を送信する。
【００４４】
ステップＳ１００２において、メッセージ配信局ＣＢＣは、メッセージ配信要求に含まれる配信対象エリア情報に基づいて、１つ又は複数のトラッキングエリアと配信エリア情報と配信種別とを決定する。
【００４５】
具体的には、メッセージ配信局ＣＢＣは、メッセージ配信要求に含まれる配信対象エリア情報に基づいて、トラッキングエリアと配信エリア情報（トラッキングエリアに属する各無線基地局ｅＮＢ内の無線エリアを特定する識別子）を決定する。
【００４６】
また、メッセージ配信局ＣＢＣは、配信対象エリア情報の種類等の情報に基づいて、配信エリア情報の種別を示す配信種別を決定する。
【００４７】
ステップＳ１００３において、メッセージ配信局ＣＢＣは、かかるトラッキングエリアに対応する移動制御装置ＭＭＥに対して、上述のトラッキングエリアと配信エリア情報と配信種別とを含むメッセージ配信要求を送信する。
【００４８】
ステップＳ１００４において、移動制御装置ＭＭＥは、受信したメッセージ配信要求に含まれるトラッキングエリアに属する無線基地局ｅＮＢを特定する。
【００４９】
ステップＳ１００５において、移動制御装置ＭＭＥは、特定した無線基地局ｅＮＢに対して、配信エリア情報と配信種別とを含むメッセージ配信要求を送信する。
【００５０】
ステップＳ１００６において、無線基地局ｅＮＢは、受信したメッセージ配信要求に含まれる配信種別に対応するテーブルを参照して、当該メッセージ配信要求に含まれる配信エリア情報に関連付けられている配信エリアを決定する。
【００５１】
なお、無線基地局ｅＮＢは、受信したメッセージ配信要求に含まれる配信種別が「所定種別」である場合、任意のセル或いは無線基地局ｅＮＢ配下の全てのセルを、緊急メッセージの配信エリアとして決定してもよい。
【００５２】
無線基地局ｅＮＢは、ステップＳ１００７において、かかる緊急メッセージを、決定した配信エリア内の移動局に対して配信し、ステップＳ１００８において、移動制御装置ＭＭＥに対して、その旨を示す緊急メッセージ送信確認を送信する。
【００５３】
ここで、無線基地局ｅＮＢは、優先的に処理すべきであると判定されたメッセージ配信要求に係る緊急メッセージを優先的に配信するように構成されていてもよい。
【００５４】
ステップＳ１００９において、移動制御装置ＭＭＥは、無線基地局ｅＮＢから受信した緊急メッセージ送信確認を、メッセージ配信局ＣＢＣに転送する。
【００５５】
（本発明の第１の実施形態に係るメッセージ配信システムの作用・効果）
本発明の第１の実施形態に係るメッセージ配信システムによれば、配信種別と配信エリア情報との組み合わせによって、メッセージ配信局ＣＢＣは、緊急メッセージの配信エリアの単位を柔軟に切り替えることができる。
【００５６】
また、本発明の第１の実施形態に係るメッセージ配信システムによれば、配信種別によって、無線基地局ｅＮＢにおける優先制御を実現することができる。
【００５７】
すなわち、例えば、配信エリア情報が、緊急性の高い緊急メッセージに対して利用されるエリア種別である場合、無線基地局において、かかる緊急メッセージの処理を、緊急性の低い緊急メッセージ等の他の処理と区別して、優先して処理することができる。
【００５８】
（変形例）
メッセージ配信局ＣＢＣは、配信エリア情報以外の情報に基づいて、配信種別を決定してもよい。例えば、メッセージ配信局ＣＢＣは、緊急メッセージの送信元である速報送信局ＣＢＥごとに、配信種別を設定してもよい。
【００５９】
かかる場合、速報送信局ＣＢＥごとに、配信種別が特定されるため、メッセージ配信局ＣＢＣは、配信エリア情報に基づいて配信種別を決定する機能が不要となり、処理高速化が可能となる。
【００６０】
なお、上述のメッセージ配信局ＣＢＣや無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００６１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、メッセージ配信局ＣＢＣや無線基地局ｅＮＢや移動局ＵＥ内に設けられていてもよい。また、かかる記憶媒体及びプロセッサは、ディスクリートコンポーネントとしてメッセージ配信局ＣＢＣや無線基地局ｅＮＢや移動局ＵＥ内に設けられていてもよい。
【００６３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００６４】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局のデータベースで管理されるテーブルの一例を示す図である。
【図４】本発明の第１の実施形態に係るメッセージ配信局の機能ブロック図である。
【図５】本発明の第１の実施形態に係るメッセージ配信システムの動作を示すシーケンス図である。
【図６】一般的なメッセージ配信システムの動作を示すシーケンス図である。
【符号の説明】
【００６５】
ｅＮＢ…無線基地局
１１、２１…信号処理部
１２、２２…パケット送受信ＩＦ部
１３、２３…ルーティング制御部
１４、２４…配信種別判定部
１５、２５…データベース
１６、２６…緊急メッセージ生成部
１７…無線制御部
１８…無線送受信ＩＦ部
ＣＢＣ…メッセージ配信局
【図１】
2010045747.tif 000003
【図２】
2010045747.tif 000004
【図３】
2010045747.tif 000005
【図４】
2010045747.tif 000006
【図５】
2010045747.tif 000007
【図６】
2010045747.tif 000008
【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
配信エリア内の移動局に対して所定メッセージを配信するメッセージ配信方法であって、
メッセージ配信局が、速報送信局から受信した配信対象エリア情報を含むメッセージ配信要求に基づいて、配信エリア情報及び配信種別を決定して、無線基地局に通知する工程Ａと、
前記無線基地局が、前記配信エリア情報及び前記配信種別に基づいて前記配信エリアを決定して、該配信エリア内の移動局に対して前記所定メッセージを配信する工程Ｂとを有することを特徴とするメッセージ配信方法。
【請求項２】
前記工程Ａは、
前記メッセージ配信局が、前記メッセージ配信要求に基づいて、トラッキングエリアと前記配信エリア情報と前記配信種別とを決定して、前記配信対象エリアに対応する移動制御装置に通知する工程と、
前記移動制御装置が、前記トラッキングエリアに属する前記無線基地局に対して、前記配信エリア情報及び前記配信種別を通知する工程とを有することを特徴とする請求項１に記載のメッセージ配信方法。
【請求項３】
前記無線基地局は、配信種別毎に、配信エリア情報と配信エリアとを関連付けて記憶するテーブルを管理しており、
前記工程Ｂにおいて、前記無線基地局は、前記配信種別に対応するテーブルを参照して、前記配信エリア情報に関連付けられている配信エリア内の移動局に対して前記所定メッセージを配信することを特徴とする請求項１又は２に記載のメッセージ配信方法。
【請求項４】
配信エリア内の移動局に対して所定メッセージを配信するように構成されている無線基地局であって、
メッセージ配信局から通知された前記所定メッセージから配信エリア情報及び配信種別を抽出し、抽出した該配信エリア情報及び該配信種別に関連付けられている配信エリア内の移動局に対して該所定メッセージを配信するように構成されていることを特徴とする無線基地局。
【請求項５】
配信エリア内の移動局に対して所定メッセージを配信するように構成されているメッセージ配信局であって、
速報送信局から受信した配信対象エリア情報を含むメッセージ配信要求に基づいて、配信エリア情報及び配信種別を決定するように構成されており、
決定した前記配信エリア情報に対応する交換局に対して、該配信エリア情報及び前記配信種別を含むメッセージ配信要求を送信するように構成されていることを特徴とするメッセージ配信局。
【手続補正書】
【提出日】平成21年11月16日(2009.11.16)
【手続補正１】
【補正対象書類名】特許請求の範囲
【補正対象項目名】全文
【補正方法】変更
【補正の内容】
【特許請求の範囲】
【請求項１】
配信エリア内の移動局に対して緊急メッセージを配信するメッセージ配信方法であって、
メッセージ配信局が、速報送信局から受信したメッセージ配信要求に含まれる配信対象エリア情報に基づいて配信エリア情報を決定して、該配信エリア情報及び配信種別を無線基地局に通知する工程Ａと、
前記無線基地局が、通知された前記配信エリア情報に基づいて前記配信エリアを決定して、該配信エリア内の移動局に対して前記緊急メッセージを配信する工程Ｂとを有し、
前記工程Ｂにおいて、前記無線基地局は、通知された前記配信種別に基づいて、前記緊急メッセージを優先的に配信すべきであるか否かについて判定することを特徴とするメッセージ配信方法。
【請求項２】
前記工程Ａは、
前記メッセージ配信局が、前記メッセージ配信要求に基づいて、更にトラッキングエリアを決定して、前記配信対象エリアに対応する移動制御装置に通知する工程と、
前記移動制御装置が、前記トラッキングエリアに属する前記無線基地局に対して、前記配信エリア情報及び前記配信種別を通知する工程とを有することを特徴とする請求項１に記載のメッセージ配信方法。
【請求項３】
前記無線基地局は、配信種別毎に、配信エリア情報と配信エリアとを関連付けて記憶するテーブルを管理しており、
前記工程Ｂにおいて、前記無線基地局は、前記配信種別に対応するテーブルを参照して、前記配信エリア情報に関連付けられている配信エリア内の移動局に対して前記緊急メッセージを配信することを特徴とする請求項１又は２に記載のメッセージ配信方法。
【請求項４】
配信エリア内の移動局に対して緊急メッセージを配信するように構成されている無線基地局であって、
メッセージ配信局から通知された配信エリア情報に基づいて配信エリアを決定して、該配信エリア内の移動局に対して前記緊急メッセージを配信するように構成されており、
メッセージ配信局から通知された配信種別に基づいて、前記緊急メッセージを優先的に配信すべきか否かについて判定するように構成されていることを特徴とする無線基地局。